(57)【要約】【課題】所定の距離にあるリーダライタ同士の相互通信を可能として、データ収集の迅速化を図ったリーダライタを提供する。【解決手段】ポーリング（Ｒ／Ｗ２用）５０をリーダライタ（Ｒ／Ｗ２）４０に送信する。リーダライタ（Ｒ／Ｗ２）４０は送られたポーリングを受信して、あるタイミングでポーリング（Ｒ／Ｗ２用）５０を認識すると、レスポンス（Ｒ／Ｗ２用）５１をリーダライタ（Ｒ／Ｗ１）３０に返送する。このときリーダライタ（Ｒ／Ｗ１）３０の近傍にＩＣカード２００がポーリング（Ｒ／Ｗ２用）５０を受信したとしても、このポーリングがＩＣカード２００用でないと認識するので、レスポンス（ＩＣカード用）５２を返送しない。従って、リーダライタ（Ｒ／Ｗ１）３０はレスポンス（Ｒ／Ｗ２用）５４のみを受信してリーダライタ（Ｒ／Ｗ２）４０であることを認識すると同時に、上位機器にレスポンス（Ｒ／Ｗ２用）を返送する。【選択図】      図４
2005004471.tif 000002
【特許請求の範囲】
【請求項１】
ＩＣカードのループアンテナを介して、該ＩＣカードとの間で所定の変復調方式に基づく搬送電力の送信とデータの授受を行うＩＣカード用リーダライタにおいて、
前記ＩＣカード用リーダライタは、少なくとも１つ以上の他のＩＣカード用リーダライタと通信手順を確立するための少なくとも１つ以上のポーリングコマンドを生成するポーリング生成手段と、前記他のＩＣカード用リーダライタのポーリング生成手段から送信されたポーリングコマンドに応答する固有のレスポンスを生成するレスポンス生成手段と、を備えたことを特徴とするＩＣカード用リーダライタ。
【請求項２】
前記ＩＣカード用リーダライタは、前記ポーリング生成手段により前記他のＩＣカード用リーダライタ固有のポーリングコマンドを生成して送信し、前記他のＩＣカード用リーダライタが前記ポーリングコマンドを受信して前記レスポンス生成手段によりレスポンスを返送することにより、前記ＩＣカード用リーダライタと前記他のＩＣカード用リーダライタとの間での相互の通信を可能としたことを特徴とする請求項１に記載のＩＣカード用リーダライタ。
【請求項３】
前記ＩＣカード用リーダライタは、少なくとも１つ以上のＩＣカードと通信を行うカード通信モードと、少なくとも１つ以上の他のＩＣカード用リーダライタと通信を行うリーダライタ通信モードと、を更に備え、
前記ＩＣカード用リーダライタ同士で相互に通信を行う場合、前記ＩＣカード用リーダライタ同士の前記各モードを一致させることにより、相互に通信を可能としたことを特徴とする請求項１に記載のＩＣカード用リーダライタ。
【請求項４】
前記ＩＣカード用リーダライタは、前記各モードを任意に切り替え可能なモード切替手段を備えたことを特徴とする請求項３に記載のＩＣカード用リーダライタ。
【発明の詳細な説明】
【０００１】
【発明の属する技術分野】
本発明は、ＩＣカード用リーダライタに関し、さらに詳しくは、複数の非接触型ＩＣカード用リーダライタ同士の相互通信を確立する方法に関するものである。
【０００２】
【従来の技術】
近年、ＩＣカードと呼ばれる新しい情報記録媒体が市場に広く出回っている。ＩＣカードは、クレジットカード、銀行カード、ポイントカード等のカード状あるいはシート状の形状を備え、カード内にＩＣ（Ｉｎｔｅｇｒａｔｅｄ  Ｃｉｒｃｕｉｔ）が組み込まれているものを総称した名称である。その中で非接触型ＩＣカードは、電鉄の駅への入退場時に使用される定期券或いはプリペイド乗車券として、現在の磁気カード方式に代わり多くの駅の改札で採用されている。
特に、非接触ＩＣカードは、データのやり取りを電波で行うため、その制御のためのリーダライタが必要となり、現状ではリーダライタと非接触ＩＣカードとの間で通信するのみに過ぎず、リーダライタ同士での通信機能を持っていなかった。むしろお互いの電波混信を防止するために、他のリーダライタが送信するコマンドをマスクしていたため、例えばＩＣカード用携帯端末としてのリーダライタ同士で通信を行なうことはできなかった。
【０００３】
図７は、従来のリーダライタと非接触ＩＣカードとの通信状態を説明する図である。従来のリーダライタ（Ｒ／Ｗ１）３００は、リーダライタ全体の動作制御とコマンドの解析等を行う制御部３１０と、信号を変調して搬送波に乗せて送信する送信部３２０と、ＩＣカード３５０からのレスポンス等を受信して復調する受信部３３０と、送受信信号を放射又は受信するループアンテナ３４０とを備えて構成される。尚、リーダライタ（Ｒ／Ｗ１）３００の近傍に他のリーダライタ（Ｒ／Ｗ２）３６０がある場合について以下図８を参照して説明する。またリーダライタ（Ｒ／Ｗ２）３６０の構成はリーダライタ（Ｒ／Ｗ１）３００と同様である。
図８は図７のリーダライタ（Ｒ／Ｗ１）３００とＩＣカード３５０との処理シーケンスを説明する図である。まず、図示しない上位機器からカード用のポーリングが送信される。リーダライタ（Ｒ／Ｗ１）３００はそのコマンドを受信すると、ポーリング（カード用）４００をＩＣカード３５０に送信する。ＩＣカード３５０は送られたポーリングを受信して、あるタイミングでポーリング（カード用）４００を受信すると、レスポンス（カード用）４１０をリーダライタ（Ｒ／Ｗ１）３００に返送する。このときリーダライタ（Ｒ／Ｗ１）３００の近傍に他のリーダライタ（Ｒ／Ｗ２）３６０がポーリング（カード用）４００を受信したとしても、このポーリングがリーダライタ用でないと認識するので、レスポンス（Ｒ／Ｗ２用）４２０を返送しない。従って、リーダライタ（Ｒ／Ｗ１）３００はレスポンス（カード用）４１０のみを受信してＩＣカード３５０であることを認識すると同時に、上位機器にポーリング（カード用）レスポンスを返送する。上位機器がこのレスポンスを受信すると、以後、リーダライタ（Ｒ／Ｗ１）３００を介して通信コマンド４３０をＩＣカード３５０に送信し、ＩＣカード３５０からレスポンス４４０が返送されて通常のデータ通信が行われる。
このように、従来のリーダライタでは、ＩＣカードとの通信は可能であるが、リーダライタ同士の通信をおこなうことができなかった。
【０００４】
【発明が解決しようとする課題】
前述したように、非接触ＩＣカードは、データのやり取りを電波で行うため、その制御のためのリーダライタが必要となり、現状ではリーダライタは非接触ＩＣカードと通信するのみで、リーダライタ同士での通信機能を持っていなかった。むしろお互いの電波混信を防止するために、他のリーダライタが送信するコマンドをマスクしていたため、例えばＩＣカード用携帯端末としてのリーダライタ同士で通信を行なうことができなかった。
本発明は、かかる課題に鑑み、所定の距離にあるリーダライタ同士の相互通信を可能として、データ収集の迅速化を図ったリーダライタを提供することを目的とする。
【０００５】
【課題を解決するための手段】
本発明はかかる課題を解決するために、請求項１の発明は、ＩＣカードのループアンテナを介して、該ＩＣカードとの間で所定の変復調方式に基づく搬送電力の送信とデータの授受を行うＩＣカード用リーダライタにおいて、前記ＩＣカード用リーダライタは、少なくとも１つ以上の他のＩＣカード用リーダライタと通信手順を確立するための少なくとも１つ以上のポーリングコマンドを生成するポーリング生成手段と、前記他のＩＣカード用リーダライタのポーリング生成手段から送信されたポーリングコマンドに応答する固有のレスポンスを生成するレスポンス生成手段とを備えたことを特徴とする。
従来のリーダライタは、ＩＣカードとの通信を主体としているためにＩＣカードのタイプに合致したポーリング信号のみを生成していた。従って、他のリーダライタが近くにあってそのポーリング信号を受信しても、自分が呼ばれていることを認識することができなかった。そこで本発明では、ポーリング信号を追加して他のリーダライタでも認識できるように、リーダライタ用のポーリング信号を送信するシーケンスに変更するものである。また、そのポーリング信号を受信して認識したリーダライタが応答するためのレスポンスを生成することも必要である。
かかる発明によれば、リーダライタ用のポーリング信号を生成する手段と、そのポーリング信号を認識したリーダライタが応答するレスポンス生成手段を備えるので、リーダライタ同士の通信を可能とすることができる。
【０００６】
また、請求項２の発明は、前記ＩＣカード用リーダライタは、前記ポーリング生成手段により前記他のＩＣカード用リーダライタ固有のポーリングコマンドを生成して送信し、前記他のＩＣカード用リーダライタが前記ポーリングコマンドを受信して前記レスポンス生成手段によりレスポンスを返送することにより、前記ＩＣカード用リーダライタと前記他のＩＣカード用リーダライタとの間での相互の通信を可能としたことを特徴とする。
各リーダライタに通信する相手のポーリングコマンドを相互に持ち、さらにポーリングを受信して自分が呼ばれていることを認識し、ポーリングを送信した相手に対して応答のレスポンスコマンドを相互に持つことにより、プロトコルが確立して確実に送信したい相手と通信を行うことができる。
かかる発明によれば、お互いのリーダライタでポーリングコマンドとレスポンスコマンドを持つので、プロトコルが確立して確実に送信したい相手と通信を行うことができる。
【０００７】
また、請求項３の発明は、前記ＩＣカード用リーダライタは、少なくとも１つ以上のＩＣカードと通信を行うカード通信モードと、少なくとも１つ以上の他のＩＣカード用リーダライタと通信を行うリーダライタ通信モードとを更に備え、前記ＩＣカード用リーダライタ同士で相互に通信を行う場合、前記ＩＣカード用リーダライタ同士の前記各モードを一致させることにより、相互に通信を可能としたことを特徴とする。
各リーダライタはＩＣカードと他のリーダライタの両方と通信できる必要がある。しかし、それらの動作を同時に行うことはできない。その理由は同時に行った場合、ポーリングが衝突する確率が増えプロトコルが成立しなくなってしまう場合が発生するためである。そこで本発明では、各リーダライタにカード通信モードとリーダライタ通信モードを設け、通信するリーダライタのモードを一致させて通信を行うようにする。
かかる発明によれば、各リーダライタにカード通信モードとリーダライタ通信モードを設けるので、ポーリング信号等の衝突を回避して、プロトコルの成功確率を高くすることができる。
【０００８】
また、請求項４の発明は、前記ＩＣカード用リーダライタは、前記各モードを任意に切り替え可能なモード切替手段を備えたことを特徴とする。
固定的に設置されたリーダライタはホストコンピュータと接続されている。従って、モードの切替はこのホストコンピュータから行ってもよいし、或いは専用のスイッチを設けても構わない。特に、携帯用のリーダライタはホストコンピュータと接続されていないので、専用のスイッチを設ける必要がある。
かかる発明によれば、各モードを任意に切り替え可能なモード切替手段を備えているので、使用者は通信する相手によりモードを任意に切り替えることができる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態のＩＣカード用リーダライタの構成を示すブロック図である。このＩＣカード用リーダライタ１００は、外部にありリーダライタ１００に対してデータの授受を行ってシステム全体を制御するコンピュータ５０と、外部のコンピュータ５０とのデータの通信プロトコルを司る送受信装置１と、リーダライタ１００全体の動作を制御する制御装置２と、制御装置２を動作させる手順を記録したファームウェアと複数の複変調方式を格納するメモリ装置３と、制御装置２からのデータを搬送波に乗せて変調する変調器４と、操作コマンドを入力する入力装置５と、制御装置２からの情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣカードとの電力用搬送波とデータの授受をするループアンテナ９と、乱数表を有し、その乱数表から乱数を発生する乱数発生装置１０から構成されている。
【００１０】
次に、本構成によるリーダライタ１００の動作を説明する前に、対を成すＩＣカードの構成を先に説明しておく。図２は、本発明の実施形態の非接触型ＩＣカードの構成を示すブロック図である。実施形態の非接触型ＩＣカード２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの一時記憶を司るメモリ装置２３と、制御回路２６からの送信コマンドに搬送波を乗せて変調する変調器２４と、送受信回路２１からの搬送波データから２値化データに変換する検波器２５と、ＩＣカード２００の全体の動作を制御する制御回路２６から構成されている。
【００１１】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、上位機器５０との初期化が行われる。次に、制御装置２は、ＩＣカード２００に供給する電力供給用信号と、ポーリング信号を交互に電力増幅器７から送信する。その信号は、ループアンテナ９から電磁波として外部に放射される。例えば、ＩＳＯ１４４４３タイプＢでは、中心搬送周波数１３．５６ＭＨｚ±７ＫＨｚ、ＡＭ変調度１０％、変調方式ＡＳＫ（Ａｍｐｌｉｔｕｄｅ  Ｓｈｉｆｔ  Ｋｅｙｉｎｇ）、符号化方式はＮＲＺ−Ｌ、通信速度が１０６ｋｂ／ｓで行われる。次に、ＩＣカード２００がリーダライタ１００に近接すると、ループアンテナ２０が電力供給用信号を受信し、電力生成回路２２によりその搬送波を整流して直流電力に変換して、カード内の全ての回路に供給する。電力を供給されて制御回路２６が駆動すると、メモリ装置２３に格納されたプログラムに従って、制御を開始する。ＩＣカード２００は前記と同じ規格に従えば、通信方式は、負荷変動方式、リーダライタとの通信関係は、リーダライタ１００からの固有の呼び出しコードを認識して初めて返信する。また、副搬送波は中心搬送波の１／１６の８４７．５ｋＨｚ、変調方式は副搬送波のＡＳＫ、符号化方式はＮＲＺ−Ｌ方式、通信速度は１０６ｋｂ／ｓである。
【００１２】
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。
このレスポンスをリーダライタ１００がループアンテナ９で受信して、検波復調器８で２値化コードに変換し、制御回路２により解析してＩＣカード２００が規格に合致したカードであると認識する。それにより、以後リーダライタ１００とＩＣカード２００の間でポーリングが行われる。
【００１３】
図３は、本発明の第１の実施形態のリーダライタと他のリーダライタとの通信状態を説明する図である。リーダライタ（Ｒ／Ｗ１）３０は、リーダライタ全体の動作制御とコマンドの解析等を行う制御部３１と、信号を変調して搬送波に乗せて送信する送信部３２と、ＩＣカード２００からのレスポンス等を受信して復調する受信部３３と、送受信信号を放射又は受信するループアンテナ３４とを備えて構成される。尚、リーダライタ（Ｒ／Ｗ１）３０の近傍に他のリーダライタ（Ｒ／Ｗ２）４０がある場合について以下図４を参照して説明する。またリーダライタ（Ｒ／Ｗ２）４０の構成はリーダライタ（Ｒ／Ｗ１）３０と同様である。
【００１４】
図４は図３のリーダライタ（Ｒ／Ｗ１）３０とリーダライタ（Ｒ／Ｗ２）４０との処理シーケンスを説明する図である。まず、図示しない上位機器からリーダライタ（Ｒ／Ｗ２）用のポーリングが送信される。リーダライタ（Ｒ／Ｗ１）３０はそのコマンドを受信すると、ポーリング（Ｒ／Ｗ２用）５０をリーダライタ（Ｒ／Ｗ２）４０に送信する。リーダライタ（Ｒ／Ｗ２）４０は送られたポーリングを受信して、あるタイミングでポーリング（Ｒ／Ｗ２用）５０を認識すると、レスポンス（Ｒ／Ｗ２用）５１をリーダライタ（Ｒ／Ｗ１）３０に返送する。このときリーダライタ（Ｒ／Ｗ１）３０の近傍にＩＣカード２００がポーリング（Ｒ／Ｗ２用）５０を受信したとしても、このポーリングがＩＣカード２００用でないと認識するので、レスポンス（ＩＣカード用）５２を返送しない。従って、リーダライタ（Ｒ／Ｗ１）３０はレスポンス（Ｒ／Ｗ２用）５４のみを受信してリーダライタ（Ｒ／Ｗ２）４０であることを認識すると同時に、上位機器にレスポンス（Ｒ／Ｗ２用）を返送する。上位機器がこのレスポンスを受信すると、以後、リーダライタ（Ｒ／Ｗ１）３０を介して通信コマンド５３をリーダライタ（Ｒ／Ｗ２）４０に送信し、リーダライタ（Ｒ／Ｗ２）４０からレスポンス５４が返送されて通常のデータ通信が行われる。
【００１５】
図５は、本発明の第２の実施形態のリーダライタと他のリーダライタとの通信状態を説明する図である。同じ構成要素には同じ参照番号が付されているので、重複する説明は省略する。図５が図３と異なる点は、制御部３１にモードを切り替えるモード切替ＳＷを設けた点である。尚、リーダライタ（Ｒ／Ｗ１）３０の近傍に他のリーダライタ（Ｒ／Ｗ２）４０がある場合について以下図６を参照して説明する。またリーダライタ（Ｒ／Ｗ２）４０の構成はリーダライタ（Ｒ／Ｗ１）３０と同様である。
【００１６】
図６は図５のリーダライタ（Ｒ／Ｗ１）３０とリーダライタ（Ｒ／Ｗ２）４０との処理シーケンスを説明する図である。本実施形態では、各リーダライタにＩＣカードとの通信を行うカード通信モードと、リーダライタ同士の通信を行うリーダライタ通信モードの２種類を備えた場合について説明する。この例ではリーダライタ（Ｒ／Ｗ１）３０がカード通信モード４２であり、リーダライタ（Ｒ／Ｗ２）４０も同様にカード通信モード４４に設定されているとする。まず、図示しない上位機器からカード用のポーリングが送信される。リーダライタ（Ｒ／Ｗ１）３０はそのコマンドを受信すると、ポーリング（カード用）６０をＩＣカード２００に送信する。ＩＣカード２００は送られたポーリングを受信して、あるタイミングでポーリング（カード用）６０を認識すると、レスポンス（カード用）６１をリーダライタ（Ｒ／Ｗ１）３０に返送する。このときリーダライタ（Ｒ／Ｗ１）３０の近傍にリーダライタ（Ｒ／Ｗ２）４０がポーリング（カード用）６０を受信したとしても、このポーリングがリーダライタ（Ｒ／Ｗ２）４０用でないと認識するので、レスポンス（Ｒ／Ｗ２）６２を返送しない。従って、リーダライタ（Ｒ／Ｗ１）３０はレスポンス（カード用）６１のみを受信してＩＣカード２００であることを認識すると同時に、上位機器にレスポンス（カード用）６１を返送する。上位機器がこのレスポンスを受信すると、以後、リーダライタ（Ｒ／Ｗ１）３０を介して通信コマンド６３をＩＣカード２００に送信し、通常のデータ通信が行われる。
【００１７】
次に、リーダライタ（Ｒ／Ｗ１）３０がリーダライタ通信受信モード４３であり、リーダライタ（Ｒ／Ｗ２）４０はカード通信モード４４のままに設定されているとする。図示しない上位機器からリーダライタ（Ｒ／Ｗ２）４０用のポーリングが送信される。リーダライタ（Ｒ／Ｗ１）３０はそのコマンドを受信すると、ポーリング（Ｒ／Ｗ２用）６４をリーダライタ（Ｒ／Ｗ２）４０に送信する。しかし、リーダライタ（Ｒ／Ｗ２）４０はカード通信モードのため、このポーリングを認識することができずレスポンス（Ｒ／Ｗ２用）６６を返送しない。同時にＩＣカード２００もポーリング（Ｒ／Ｗ２用）６４を受信したとしても、このポーリングがＩＣカード２００用でないと認識するので、レスポンス（カード用）６５を返送しない。このように互いのモードが異なっている場合は、ＩＣカードもリーダライタもレスポンスを返送しないのでプロトコルは成立しない。
【００１８】
次に、リーダライタ（Ｒ／Ｗ１）３０がリーダライタ通信受信モード４３のままで、リーダライタ（Ｒ／Ｗ２）４０がリーダライタ通信送信モード４５に切り替ったとする。図示しない上位機器からリーダライタ（Ｒ／Ｗ２）４０用のポーリングが送信される。リーダライタ（Ｒ／Ｗ１）３０はそのコマンドを受信すると、ポーリング（Ｒ／Ｗ２用）６７をリーダライタ（Ｒ／Ｗ２）４０に送信する。リーダライタ（Ｒ／Ｗ２）４０は送られたポーリングを受信して、あるタイミングでポーリング（Ｒ／Ｗ２用）６７を認識すると、レスポンス（Ｒ／Ｗ２用）６９をリーダライタ（Ｒ／Ｗ１）３０に返送する。このときリーダライタ（Ｒ／Ｗ１）３０の近傍にＩＣカード２００がポーリング（Ｒ／Ｗ２用）６７を受信したとしても、このポーリングがＩＣカード２００用でないと認識するので、レスポンス（カード用）６８を返送しない。従って、リーダライタ（Ｒ／Ｗ１）３０はレスポンス（Ｒ／Ｗ２用）６９のみを受信してリーダライタ（Ｒ／Ｗ２）４０であることを認識すると同時に、上位機器にレスポンス（Ｒ／Ｗ２用）を返送する。上位機器がこのレスポンスを受信すると、以後、リーダライタ（Ｒ／Ｗ１）３０を介してデータ送信要求７０をリーダライタ（Ｒ／Ｗ２）４０に送信し、リーダライタ（Ｒ／Ｗ２）４０からデータ送信７１が開始されて通常のデータ通信が行われる。
【００１９】
このように各リーダライタにカード通信モードとリーダライタ通信モードを設けることにより、ポーリング信号等の衝突を回避して、プロトコルの成功確率を高くすることができる。また、モードを切り替える手段は、固定的に設置されたリーダライタはホストコンピュータと接続されているので、モードの切替はこのホストコンピュータから行ってもよいし、或いは専用のスイッチを設けても構わない。特に、携帯用のリーダライタはホストコンピュータと接続されていないので、専用のスイッチを設ける必要がある。これにより、使用者は通信する相手によりモードを任意に切り替えることができ、利便性を高めることができる。
【００２０】
【発明の効果】
以上記載のごとく本発明によれば、請求項１は、リーダライタ用のポーリング信号を生成する手段と、そのポーリング信号を認識したリーダライタが応答するレスポンス生成手段を備えるので、リーダライタ同士の通信を可能とすることができる。
請求項２は、お互いのリーダライタでポーリングコマンドとレスポンスコマンドを持つので、プロトコルが確立して確実に送信したい相手と通信を行うことができる。
請求項３は、各リーダライタにカード通信モードとリーダライタ通信モードを設けるので、ポーリング信号等の衝突を回避して、プロトコルの成功確率を高くすることができる。
請求項４は、各モードを任意に切り替え可能なモード切替手段を備えているので、使用者は通信する相手によりモードを任意に切り替えることができる。
【図面の簡単な説明】
【図１】本発明の一実施形態のＩＣカード用リーダライタの構成を示すブロック図。
【図２】本発明の実施形態の非接触型ＩＣカードの構成を示すブロック図。
【図３】本発明の第１の実施形態のリーダライタと他のリーダライタとの通信状態を説明する図。
【図４】本発明の図３のリーダライタ（Ｒ／Ｗ１）３０とリーダライタ（Ｒ／Ｗ２）４０との処理シーケンスを説明する図。
【図５】本発明の第２の実施形態のリーダライタと他のリーダライタとの通信状態を説明する図。
【図６】本発明の図５のリーダライタ（Ｒ／Ｗ１）３０とリーダライタ（Ｒ／Ｗ２）４０との処理シーケンスを説明する図。
【図７】従来のリーダライタと非接触ＩＣカードとの通信状態を説明する図。
【図８】図７のリーダライタ（Ｒ／Ｗ１）３００とＩＣカード３５０との処理シーケンスを説明する図。
【符号の説明】
１  送受信装置、２  制御装置、３  メモリ装置、４  変調器、５  入力装置、６  表示装置、７  電力増幅器、８  検波復調器、９  ループアンテナ、１０乱数発生装置、５０  コンピュータ、１００  リーダライタ。
【図１】
2005004471.tif 000003
【図２】
2005004471.tif 000004
【図３】
2005004471.tif 000005
【図４】
2005004471.tif 000006
【図５】
2005004471.tif 000007
【図６】
2005004471.tif 000008
【図７】
2005004471.tif 000009
【図８】
2005004471.tif 000010